(57)【要約】【課題】受電端側の母線に事故が発生した場合に、早期に送電端側の遮断器を復旧することが可能な自動復旧装置及び自動復旧装置の制御方法を提供すること。【解決手段】ＡＮＤ回路１４は、受電端側の遮断器３Ｂにより送電線Ｌ１が遮断されたことを示す第１遮断信号がＡＮＤ回路１３から入力され、かつ、第１遮断信号が受電端側の自動復旧装置４Ｂにより出力された後に、受電端側の遮断器３Ｂにより送電線Ｌ１が再度遮断されたことを示す第２遮断信号が入力された場合、第２信号を遅延回路２４へ出力する。そして、ＡＮＤ回路１５は、計器用変圧器から送電線電圧信号が入力され、かつ、遅延回路２４から第３信号が出力された場合、復旧信号を出力する。【選択図】図２
2012005271.tif 000002
【特許請求の範囲】
【請求項１】
送電端側の母線と、受電端側の母線と、前記送電端側の母線から前記受電端側の母線へ送電する送電線と、前記送電線の前記送電端側に設けられる送電端側の遮断器と、前記送電線の前記受電端側に設けられる受電端側の遮断器と、前記送電端側の遮断器を自動的に復旧させる送電端側の自動復旧装置と、前記受電端側の遮断器を自動的に復旧させる受電端側の自動復旧装置とを有する電力系統において、前記受電端側の母線で事故が発生した場合に、前記送電端側の遮断器を自動的に復旧させる前記送電端側の自動復旧装置であって、
前記送電端側の自動復旧装置の動作が可能となる動作可能条件が成立し、かつ、前記送電端側の遮断器が遮断された場合、第１信号を出力する第１論理回路と、
前記第１信号が入力され、かつ、前記送電線に電圧が印加されていないことを示す送電線電圧信号が入力された場合、前記送電端側の遮断器を復旧させる復旧信号を出力する第２論理回路と、
前記第２論理回路から前記復旧信号が出力された場合、当該復旧信号を第１期間遅延させた後に出力する第１遅延回路と、
前記受電端側の遮断器により前記送電線が遮断されたことを示す第１遮断信号が入力され、かつ、前記第１遮断信号が前記受電端側の自動復旧装置により出力された後に、前記受電端側の遮断器により前記送電線が再度遮断されたことを示す第２遮断信号が入力された場合、第２信号を出力する第３論理回路と、
前記送電線電圧信号が入力され、かつ、前記第１遅延回路から前記復旧信号が入力され、かつ、前記第２信号が入力された場合、第３信号を出力する第４論理回路と、
前記第３信号が入力された場合、当該第３信号を第２期間遅延させた後に出力する第２遅延回路と、
前記送電線電圧信号が入力され、かつ、前記第２遅延回路から前記第３信号が出力された場合、前記復旧信号を出力する第５論理回路とを備える自動復旧装置。
【請求項２】
前記第５論理回路から前記復旧信号が入力され、かつ、当該復旧信号の使用を許可する使用許可信号が入力された場合、当該復旧信号を出力する第６論理回路を更に備える請求項１に記載の自動復旧装置。
【請求項３】
前記第６論理回路から前記復旧信号が入力された場合、前記受電端側の母線で事故が発生したことを示す警報を表示する警報表示部を更に備える請求項２に記載の自動復旧装置。
【請求項４】
送電端側の母線と、受電端側の母線と、前記送電端側の母線から前記受電端側の母線へ送電する送電線と、前記送電線の前記送電端側に設けられる送電端側の遮断器と、前記送電線の前記受電端側に設けられる受電端側の遮断器と、前記送電端側の遮断器を自動的に復旧させる送電端側の自動復旧装置と、前記受電端側の遮断器を自動的に復旧させる受電端側の自動復旧装置とを有する電力系統において、前記受電端側の母線で事故が発生した場合に、前記送電端側の遮断器を自動的に復旧させる前記送電端側の自動復旧装置の制御方法であって、
前記送電端側の自動復旧装置の動作が可能となる動作可能条件が成立し、かつ、前記送電端側の遮断器が遮断された場合、第１信号を出力するステップと、
前記第１信号が入力され、かつ、前記送電線に電圧が印加されていないことを示す送電線電圧信号が入力された場合、前記送電端側の遮断器を復旧させる復旧信号を出力するステップと、
前記復旧信号が出力された場合、当該復旧信号を第１期間遅延させた後に出力するステップと、
前記受電端側の遮断器により前記送電線が遮断されたことを示す第１遮断信号が入力され、かつ、前記第１遮断信号が前記受電端側の自動復旧装置により出力された後に、前記受電端側の遮断器により前記送電線が再度遮断されたことを示す第２遮断信号が入力された場合、第２信号を出力するステップと、
前記送電線電圧信号が入力され、かつ、前記復旧信号が入力され、かつ、前記第２信号が入力された場合、第３信号を出力するステップと、
前記第３信号が入力された場合、当該第３信号を第２期間遅延させた後に出力するステップと、
前記送電線電圧信号が入力され、かつ、前記第３信号が出力された場合、前記復旧信号を出力するステップとを備える自動復旧装置の制御方法。
【発明の詳細な説明】
【技術分野】
【０００１】
本発明は、発電所や変電所に設置される自動復旧装置及び自動復旧装置の制御方法に関する。
【背景技術】
【０００２】
従来、送電線には、事故が発生した場合に送電を遮断するための遮断器が設けられている。遮断器は、事故が発生した場合には、保護継電器により遮断される。また、遮断器により送電が遮断された場合に、所定時間経過後に再度送電を開始させるための投入信号を遮断器に送信する自動復旧装置（ＡＲＥ：ａｕｔｏｍａｔｉｃ  ｒｅｃｏｖｅｒｙ  ｓｙｓｔｅｍ）が知られている（例えば、特許文献１参照）。
【先行技術文献】
【特許文献】
【０００３】
【特許文献１】特開２００９−１９５０３９号公報
【発明の概要】
【発明が解決しようとする課題】
【０００４】
保護継電器が設けられていない受電端側の母線に事故が発生した場合には、送電端側の送電線に設けられている保護継電器が動作して、送電端側の送電線に設けられている遮断器が遮断される。そして、一定期間経過後に、受電端側の自動復旧装置の全停遮断機能により受電端側の遮断器が遮断される。
【０００５】
その後、一定期間経過後に、送電端側の自動復旧装置の投入条件が成立した場合には、送電端側の自動復旧装置により送電端側の遮断器が投入され、受電端側の自動復旧装置により受電端側の遮断器も投入される。しかし、受電端側の母線の事故が継続している場合、再度送電端側の保護継電器が動作して、送電端側の遮断器が遮断される。
【０００６】
これにより、運転員は受電端側の母線の事故であると判断する。このように、送電線は一旦早期に復旧できるが、通常、自動復旧装置は１回のみしか動作できないように設定されているため、母線の事故発生時には、２回目に送電端側の遮断器を自動的に復旧することができない。したがって、２回目に送電端側の遮断器を復旧する場合には、遮断器の復旧を手動で行う必要があった。
【０００７】
これにより、遮断器の復旧を手動で行うまで送電線は、送電端側の母線からの送電が遮断された状態となるため、送電線から分岐した変電所や電力機器では停電が継続した状態となる。事故が発生した際には、事故の概要を迅速に把握し、早期復旧することが要求されるが、例えば、雷発生時には多数事故が発生する場合が多く、遮断器の復旧を手動で行うと、復旧に時間を要する場合もある。したがって、受電端側の母線に事故が発生した場合に、早期に送電端側の遮断器を復旧することが望まれていた。
【０００８】
本発明は、受電端側の母線に事故が発生した場合に、早期に送電端側の遮断器を復旧することが可能な自動復旧装置及び自動復旧装置の制御方法を提供することを目的とする。
【課題を解決するための手段】
【０００９】
本発明は、送電端側の母線と、受電端側の母線と、前記送電端側の母線から前記受電端側の母線へ送電する送電線と、前記送電線の前記送電端側に設けられる送電端側の遮断器と、前記送電線の前記受電端側に設けられる受電端側の遮断器と、前記送電端側の遮断器を自動的に復旧させる送電端側の自動復旧装置と、前記受電端側の遮断器を自動的に復旧させる受電端側の自動復旧装置とを有する電力系統において、前記受電端側の母線で事故が発生した場合に、前記送電端側の遮断器を自動的に復旧させる前記送電端側の自動復旧装置であって、前記送電端側の自動復旧装置の動作が可能となる動作可能条件が成立し、かつ、前記送電端側の遮断器が遮断された場合、第１信号を出力する第１論理回路と、前記第１信号が入力され、かつ、前記送電線に電圧が印加されていないことを示す送電線電圧信号が入力された場合、前記送電端側の遮断器を復旧させる復旧信号を出力する第２論理回路と、前記第２論理回路から前記復旧信号が出力された場合、当該復旧信号を第１期間遅延させた後に出力する第１遅延回路と、前記受電端側の遮断器により前記送電線が遮断されたことを示す第１遮断信号が入力され、かつ、前記第１遮断信号が前記受電端側の自動復旧装置により出力された後に、前記受電端側の遮断器により前記送電線が再度遮断されたことを示す第２遮断信号が入力された場合、第２信号を出力する第３論理回路と、前記送電線電圧信号が入力され、かつ、前記第１遅延回路から前記復旧信号が入力され、かつ、前記第２信号が入力された場合、第３信号を出力する第４論理回路と、前記第３信号が入力された場合、当該第３信号を第２期間遅延させた後に出力する第２遅延回路と、前記送電線電圧信号が入力され、かつ、前記第２遅延回路から前記第３信号が出力された場合、前記復旧信号を出力する第５論理回路とを備える自動復旧装置に関する。
【００１０】
この発明によれば、自動復旧装置は、受電端側の遮断器により送電線が遮断されたことを示す第１遮断信号、及び受電端側の遮断器により送電線が再度遮断されたことを示す第２遮断信号により受電端側の母線の事故であると判断することができ、送電線を再度自動的に復旧（投入）することができる。
【００１１】
このように送電線を再度自動的に復旧（投入）することにより、送電線から分岐している送電対象への送電の復旧を迅速に行うことができる。よって、送電対象における受電端側の母線の事故による停電時間を短縮することができる。また、従来は送電端側の自動復旧装置が一旦遮断器を投入し、事故の継続により遮断器が遮断された場合には、運転員が手動で遮断器の投入を行っていたが、本発明に係る自動復旧装置は、再度遮断器を自動的に復旧（投入）することができるため、他の送電線でも事故が多発する場合（例えば、雷発生時）であっても送電線の復旧作業を迅速に行うことができる。
【００１２】
また、前記送電端側の自動復旧装置は、前記第５論理回路から前記復旧信号が入力され、かつ、当該復旧信号の使用を許可する使用許可信号が入力された場合、当該復旧信号を出力する第６論理回路を更に備えることが好ましい。
【００１３】
この発明によれば、送電端側の自動復旧装置は、例えば、遠隔制御装置を設けて、この遠隔制御装置により復旧信号を出力するか否か、すなわち、送電端側の自動復旧装置により再度遮断器を遮断するか否かを制御することができる。したがって、自動復旧装置は、天候状態や、送電線の分岐の有無等に応じて、再度遮断器を遮断するか否かを選択することができる。
【００１４】
また、前記送電端側の自動復旧装置は、前記第６論理回路から前記復旧信号が入力された場合、前記受電端側の母線で事故が発生したことを示す警報を表示する警報表示部を更に備えることが好ましい。
【００１５】
この発明によれば、作業者や運転員等は、受電端側の母線で事故が発生したことを認識することができる。
【００１６】
本発明は、送電端側の母線と、受電端側の母線と、前記送電端側の母線から前記受電端側の母線へ送電する送電線と、前記送電線の前記送電端側に設けられる送電端側の遮断器と、前記送電線の前記受電端側に設けられる受電端側の遮断器と、前記送電端側の遮断器を自動的に復旧させる送電端側の自動復旧装置と、前記受電端側の遮断器を自動的に復旧させる受電端側の自動復旧装置とを有する電力系統において、前記受電端側の母線で事故が発生した場合に、前記送電端側の遮断器を自動的に復旧させる前記送電端側の自動復旧装置の制御方法であって、前記送電端側の自動復旧装置の動作が可能となる動作可能条件が成立し、かつ、前記送電端側の遮断器が遮断された場合、第１信号を出力するステップと、前記第１信号が入力され、かつ、前記送電線に電圧が印加されていないことを示す送電線電圧信号が入力された場合、前記送電端側の遮断器を復旧させる復旧信号を出力するステップと、前記復旧信号が出力された場合、当該復旧信号を第１期間遅延させた後に出力するステップと、前記受電端側の遮断器により前記送電線が遮断されたことを示す第１遮断信号が入力され、かつ、前記第１遮断信号が前記受電端側の自動復旧装置により出力された後に、前記受電端側の遮断器により前記送電線が再度遮断されたことを示す第２遮断信号が入力された場合、第２信号を出力するステップと、前記送電線電圧信号が入力され、かつ、前記復旧信号が入力され、かつ、前記第２信号が入力された場合、第３信号を出力するステップと、前記第３信号が入力された場合、当該第３信号を第２期間遅延させた後に出力するステップと、前記送電線電圧信号が入力され、かつ、前記第３信号が出力された場合、前記復旧信号を出力するステップとを備える自動復旧装置の制御方法に関する。
【発明の効果】
【００１７】
本発明によれば、受電端側の母線に事故が発生した場合に、早期に送電端側の遮断器を復旧することが可能な自動復旧装置及び自動復旧装置の制御方法を提供することができる。
【図面の簡単な説明】
【００１８】
【図１】本発明の一実施形態に係る送電システム１の構成を示す概略図である。
【図２】送電端側の自動復旧装置４Ａの具体的な構成を示す図である。
【図３】本実施形態の送電システム１の動作を示すタイムチャートである。
【発明を実施するための形態】
【００１９】
以下、本発明の実施形態について図面を参照しながら説明する。
図１は、本発明の一実施形態に係る送電システム（電力系統）１の構成を示す概略図である。図１に示すように、送電システム１は、送電側の母線２Ａと、受電側の母線２Ｂと、送電線Ｌ１と、送電線Ｌ２と、送電端側の遮断器３Ａと、受電端側の遮断器３Ｂと、送電端側の自動復旧装置４Ａと、受電端側の自動復旧装置４Ｂと、を備える。
【００２０】
母線２Ａは、例えば、大規模送電における発電所等に接続され、電源Ｐ、送電線Ｌ１及び送電線Ｌ２に接続される。
母線２Ｂは、例えば、変電所等に接続され、送電線Ｌ１及び送電線Ｌ２に接続される。
送電線Ｌ１及び送電線Ｌ２は、送電側の母線２Ａ及び受電側の母線２Ｂに接続され、送電側の母線２Ａから受電側の母線２Ｂへ電力を送る（送電する）。また、送電線Ｌ１の途中（図１の遮断器３Ａと遮断器３Ｂとの間）には、送電対象Ｘ（例えば、変電所や特別高電圧の顧客等）が接続されている。
【００２１】
遮断器３Ａは、送電線Ｌ１の送電端（母線２Ａ）側に設けられる。
遮断器３Ｂは、送電線Ｌ１の受電端（母線２Ｂ）側に設けられる。
自動復旧装置４Ａは、送電線Ｌ１の線路電圧や母線２Ａの母線電圧に基づいて、遮断器３Ａの復旧（投入）を制御する。
自動復旧装置４Ｂは、送電線Ｌ１の線路電圧や母線２Ｂの母線電圧に基づいて、遮断器３Ｂの復旧（投入）を制御する。
【００２２】
図２は、送電端側の自動復旧装置４Ａの具体的な構成を示す図である。図２に示すように、送電端側の自動復旧装置４Ａは、ＡＮＤ回路１１，１２，１３，１４，１５，１６と、遅延回路２１，２２，２３，２４と、警報表示部３１と、を備える。
【００２３】
ＡＮＤ回路１１（第１論理回路）は、入力側が遅延回路２１及び保護継電器（図示せず）に接続され、出力側が遅延回路２２に接続される。
ＡＮＤ回路１２（第２論理回路）は、入力側が遅延回路２２及び計器用変圧器（図示せず）に接続され、出力側が他の回路等（図示せず）を介して、遮断器３Ａに接続されると共に、遅延回路２３（第１遅延回路）に接続される。
【００２４】
ＡＮＤ回路１３（第３論理回路）は、入力側が受電端側の自動復旧装置４Ｂに接続され、出力側がＡＮＤ回路１４に接続される。
ＡＮＤ回路１４（第４論理回路）は、入力側が保護継電器、遅延回路２３及びＡＮＤ回路１３に接続され、出力側が遅延回路２４に接続される。
【００２５】
ＡＮＤ回路１５（第５論理回路）は、入力側が計器用変圧器及び遅延回路２４に接続され、出力側がＡＮＤ回路１６に接続される。
ＡＮＤ回路１６（第６論理回路）は、入力側がＡＮＤ回路１５及び遠隔制御装置（図示せず）に接続され、出力側が他の回路等（図示せず）を介して、遮断器３Ａに接続されると共に、警報表示部３１に接続される。
【００２６】
遅延回路２１は、入力側が自動復旧装置４Ａ内の他の回路に接続され、出力側がＡＮＤ回路１１の入力側に接続される。
遅延回路２２は、入力側がＡＮＤ回路１１の出力側に接続され、出力側がＡＮＤ回路１２の入力側に接続される。
遅延回路２３は、入力側がＡＮＤ回路１２の出力側に接続され、出力側がＡＮＤ回路１４の入力側に接続される。
遅延回路２４は、入力側がＡＮＤ回路１４の出力側に接続され、出力側がＡＮＤ回路１５の入力側に接続される。
警報表示部３１は、例えば、表示装置等で構成される。警報表示部３１は、ＡＮＤ回路１６の出力側に接続される。
【００２７】
次に、受電端側の母線２Ｂにおいて事故が発生した場合の自動復旧装置４Ａの動作について図２及び図３を参照しながら説明する。
図３は、本実施形態の送電システム１の動作を示すタイムチャートである。なお、図３のタイムチャートでは、上側が遮断器３Ａ又は３Ｂの投入を示し、下側が遮断器３Ａ又は３Ｂの遮断を示している。
【００２８】
まず、受電端側の母線２Ｂにおいて事故が発生した場合、保護継電器により送電端側の遮断器３Ａが遮断される。また、全停検出時間Ｔ１１（例えば、５秒）経過後、受電端側の自動復旧装置４Ｂの全停遮断機能により受電端側の遮断器３Ｂが遮断される。これにより、送電線Ｌ１の送電が遮断される。そして、送電線Ｌ２においても遮断器（図示せず）が遮断され、送電線Ｌ２による送電が遮断される。なお、以下の説明では、送電線Ｌ２における送電が遮断された状態が継続しているものとする。
【００２９】
ＡＮＤ回路１１は、送電端側の自動復旧装置４Ａの動作が可能となる動作可能条件が成立して、遅延回路２１により期間Ｔ１（例えば、６０秒）遅延されて入力され、かつ、送電端側の遮断器３Ａが遮断されたことを示す遮断信号が入力された場合、第１信号を遅延回路２２へ出力する。なお、動作可能条件は、例えば、遮断器３Ａが投入されていること等の条件を含んでいる。
【００３０】
遅延回路２２は、ＡＮＤ回路１１から入力された第１信号を期間Ｔ２（例えば、１５秒）遅延させて、ＡＮＤ回路１２へ出力する。
ＡＮＤ回路１２は、遅延回路２２から第１信号が入力され、かつ、計器用変圧器から送電線Ｌ１に電圧が印加されていないことを示す送電線電圧信号が入力された場合、送電端側の遮断器３Ａを復旧させる復旧信号を出力する。これにより、母線２Ｂの事故によって一旦遮断された遮断器３Ａが復旧（投入）される。
【００３１】
また、一旦遮断された遮断器３Ｂは、受電端側の自動復旧装置４Ｂの起動時間Ｔ１２（例えば、１６秒）経過後に、受電端側の自動復旧装置４Ｂにより復旧（投入）される。これにより、送電線Ｌ１への送電が再開される。なお、自動復旧装置４Ｂの起動時間Ｔ１２は、確認時間（例えば、５秒）を含んでいる。
【００３２】
しかし、一旦送電線Ｌ１への送電が再開されるが、母線２Ｂの事故が継続しているため、保護継電器の動作時間等を含む裕度Ｔ１３経過後に、保護継電器により遮断器３Ａが遮断される。
また、全停電検出時間Ｔ１４（例えば、５秒）経過後、受電端側の自動復旧装置４Ｂの全停遮断機能により受電端側の遮断器３Ｂが遮断される。
【００３３】
ＡＮＤ回路１３は、受電端側の遮断器３Ｂにより送電線Ｌ１が遮断されたことを示す第１遮断信号がＡＮＤ回路１３から入力され、かつ、第１遮断信号が受電端側の自動復旧装置４Ｂにより出力された後に、受電端側の遮断器３Ｂにより送電線Ｌ１が再度遮断されたことを示す第２遮断信号が入力された場合、第２信号をＡＮＤ回路１４へ出力する。
【００３４】
なお、第１遮断信号及び第２遮断信号は、例えば、通信回線等を介して受電端側の自動復旧装置４Ｂから送電端側の自動復旧装置４Ａへ送信される。
【００３５】
遅延回路２３は、ＡＮＤ回路１２から復旧信号が出力された場合、復旧信号を期間Ｔ２１（第１期間）遅延させた後にＡＮＤ回路１４へ出力する。
ここで、期間Ｔ２１は、受電端の遮断器３Ｂの全停検出時間Ｔ１１（例えば、５秒）と、受電端の自動復旧装置４Ｂの起動時間Ｔ１２（例えば、１６秒）と、保護継電器の動作時間と遮断器動作時間を含むＴ１３（例えば、１秒）との和（Ｔ２１＝Ｔ１１＋Ｔ１２＋Ｔ１３）であることが好ましい。
【００３６】
ＡＮＤ回路１４は、送電端側の遮断器３Ａが遮断されたことを示す遮断信号が入力され、かつ、遅延回路２３から復旧信号が入力され、かつ、ＡＮＤ回路１３から第２信号が入力された場合、第３信号を遅延回路２４へ出力する。
【００３７】
遅延回路２４は、ＡＮＤ回路１４から第３信号が入力された場合、第３信号を期間Ｔ２２（第２期間）遅延させた後に出力する。
ここで、期間Ｔ２２は、遮断器３Ａの動作責務時間Ｔ１５と、裕度Ｔ１６（例えば、１秒）とが含まれていることが好ましい。
【００３８】
ＡＮＤ回路１５は、計器用変圧器から送電線電圧信号が入力され、かつ、遅延回路２４から第３信号が出力された場合、復旧信号をＡＮＤ回路１６へ出力する。
ＡＮＤ回路１６は、ＡＮＤ回路１５から復旧信号が入力され、かつ、遠隔制御装置（図示せず）から復旧信号の使用を許可する使用許可信号が入力された場合、復旧信号を出力する。
【００３９】
警報表示部３１は、ＡＮＤ回路１６から復旧信号が入力された場合、受電端側の母線２Ｂで事故が発生したことを示す警報を表示する。
【００４０】
以上説明したように、本実施形態に係る自動復旧装置４Ａによれば、以下の効果を奏することができる。
【００４１】
ＡＮＤ回路１４は、受電端側の遮断器３Ｂにより送電線Ｌ１が遮断されたことを示す第１遮断信号がＡＮＤ回路１３から入力され、かつ、第１遮断信号が受電端側の自動復旧装置４Ｂにより出力された後に、受電端側の遮断器３Ｂにより送電線Ｌ１が再度遮断されたことを示す第２遮断信号が入力された場合、第２信号を遅延回路２４へ出力する。
そして、ＡＮＤ回路１５は、計器用変圧器から送電線電圧信号が入力され、かつ、遅延回路２４から第３信号が出力された場合、復旧信号を出力する。
【００４２】
これにより、自動復旧装置４Ａは、受電端側の遮断器３Ｂにより送電線Ｌ１が遮断されたことを示す第１遮断信号、及び受電端側の遮断器３Ｂにより送電線Ｌ１が再度遮断されたことを示す第２遮断信号により母線２Ｂの事故であると判断することができ、送電線Ｌ１を再度自動的に復旧（投入）することができる。
【００４３】
このように送電線Ｌ１を再度自動的に復旧（投入）することにより、送電線Ｌ１から分岐している送電対象Ｘへの送電の復旧を迅速に行うことができる。よって、送電対象Ｘにおける母線２Ｂの事故による停電時間を短縮することができる。また、従来は自動復旧装置４Ａが一旦遮断器３Ａを投入し、事故の継続により遮断器３Ａが遮断された場合には、運転員が手動で遮断器３Ａの投入を行っていたが、本実施形態に係る自動復旧装置４Ａは、再度遮断器３Ａを自動的に復旧（投入）することができるため、他の送電線でも事故が多発する場合（例えば、雷発生時）であっても送電線の復旧作業を迅速に行うことができる。
【００４４】
また、ＡＮＤ回路１６は、ＡＮＤ回路１５から復旧信号が入力され、かつ、遠隔制御装置（図示せず）から復旧信号の使用を許可する使用許可信号が入力された場合、復旧信号を出力する。これにより、自動復旧装置４Ａは、遠隔制御装置により復旧信号を出力するか否か、すなわち、自動復旧装置４Ａにより再度遮断器３Ａを投入するか否かを制御することができる。したがって、自動復旧装置４Ａは、天候状態や、送電線の分岐の有無等に応じて、再度遮断器３Ａを投入するか否かを選択することができる。
【００４５】
また、警報表示部３１は、ＡＮＤ回路１６から復旧信号が入力された場合、受電端側の母線２Ｂで事故が発生したことを示す警報を表示する。これにより、運転員等は、母線２Ｂで事故が発生したことを認識することができる。
【００４６】
以上、本発明の一実施形態について説明したが、本発明は前述した実施形態に制限されるものではなく、適宜変更が可能である。また、本発明の実施形態に記載された効果は、本発明から生じる最も好適な効果を列挙したに過ぎず、本発明による効果は、本発明の実施形態に記載されたものに限定されるものではない。
【符号の説明】
【００４７】
１  送電システム（電力系統）
２Ａ，２Ｂ  母線
３Ａ，３Ｂ  遮断器
４Ａ，４Ｂ  自動復旧装置
１１，１２，１３，１４，１５，１６  ＡＮＤ回路（論理回路）
２１，２２，２３，２４  遅延回路
Ｌ１，Ｌ２  送電線
【図１】
2012005271.tif 000003
【図２】
2012005271.tif 000004
【図３】
2012005271.tif 000005